(57)【要約】【課題】ユーザ運用に合わせてカスタマイズされた項目をDICOM規格に準拠させてレポートサーバへ転送することができる医用画像診断装置を提供する。【解決手段】本発明の医用画像診断装置は、医用画像診断装置に取得された被検体の診断情報に関する項目を、ユーザカスタマイズ項目として設定するユーザカスタマイズ項目設定部と、DICOM規格に準拠した付加情報を、前記ユーザカスタマイズ項目に割り当てる付加情報割当部とを備える。【選択図】  図１
2014161511.tif 000002
【特許請求の範囲】
【請求項１】
医用画像診断装置に取得された被検体の診断情報に関する項目を、ユーザカスタマイズ項目として設定するユーザカスタマイズ項目設定部と、
DICOM規格に準拠した付加情報を、前記ユーザカスタマイズ項目に割り当てる付加情報割当部と
を備えたことを特徴とする医用画像診断装置。
【請求項２】
前記ユーザカスタマイズ項目設定部は、前記医用画像診断装置の被検体の前記診断情報に関する項目のうち、前記診断情報の領域、グループ、計測名、計測項目、単位、及び計算式の少なくとも１つを、ユーザカスタマイズ項目として設定することを特徴とする請求項１に記載の医用画像診断装置。
【請求項３】
前記付加情報割当部は、前記DICOM規格に準拠した前記付加情報のうち、前記診断情報の領域、グループ、計測名、計測項目、単位、及び計算式の少なくとも１つを、第1の付加情報として前記ユーザカスタマイズ項目に割り当てることを特徴とする請求項１に記載の医用画像診断装置。
【請求項４】
前記付加情報割当部は、前記DICOM規格に準拠した前記付加情報のうち、前記第1の付加情報に関連付けられた前記付加情報を、第２の付加情報として前記ユーザカスタマイズ項目に割り当てることを特徴とする請求項３に記載の医用画像診断装置。
【請求項５】
前記付加情報割当部は、前記第1の付加情報を特定するための特定情報、前記第1の付加情報を定義した主体を示す主体情報、前記第1の付加情報が属するテンプレートのID、計測方法の名称、計測値の分類名、画像モードの種類、アプローチの名称、前記ユーザカスタマイズ項目に対応する値の型、及びコンテンツの型の少なくとも１つを、前記第２の付加情報として前記ユーザカスタマイズ項目に割り当てることを特徴とする請求項４に記載の医用画像診断装置。
【請求項６】
前記診断情報の領域、グループ、計測名、計測項目、単位、計算式、及び前記DICOM規格に準拠した前記付加情報の少なくとも１つを保存するデータ保存部と、
前記ユーザカスタマイズ項目又は前記付加情報がDICOM規格の項目又はDICOM規格に準拠した項目として既に存在しているか否かを、前記データ保存部から検索する検索部と
を備えたことを特徴とする請求項１に記載の医用画像診断装置。
【請求項７】
前記ユーザカスタマイズ項目に関連付けられた前記付加情報を、前記医用画像診断装置の外部のサーバに転送するデータ送受信部を備えたことを特徴とする請求項１に記載の医用画像診断装置。
【請求項８】
前記ユーザカスタマイズ項目に関連付けられた前記付加情報のリストを生成するSRリスト生成部を備え、
前記データ送受信部は、前記リストを前記サーバに転送することを特徴とする請求項７に記載の医用画像診断装置。
【発明の詳細な説明】
【技術分野】
【０００１】
本発明は、医用画像診断装置に関し、特に、DICOM規格を用いる医用画像診断装置に関する。
【背景技術】
【０００２】
従来の医用画像診断装置として、画像診断装置のDICOMファイル生成部は、画像演算記憶部に一旦保存された被検体の画像データと、計測データ記憶部に保存された被検体の生体情報計測データと、表示用アプリケーション記憶部の表示ソフトウエアと、付帯情報記憶部に保存された被検体に関する付帯情報を組み込んだDICOMファイルを生成し、ネットワークを介して医用情報ビューアに供給し、医用情報ビューアは、供給されたDICOMファイルの表示ソフトウエアによって設定される表示フォーマットに基づいて画像データ及び生体情報計測データを表示部に表示することが開示されている（例えば、特許文献１）。
【先行技術文献】
【特許文献】
【０００３】
【特許文献１】特開２００５−８１０８３号公報
【発明の概要】
【発明が解決しようとする課題】
【０００４】
従来の医用画像診断装置では、ユーザの運用に合わせてカスタマイズされた項目が、DICOM規格に準拠していない場合がある。また、計測された結果をレポートサーバへ転送するためには、DICOM規格の構造を考慮して情報を付加しなければならない。このように、従来の医用画像診断装置では、ユーザ運用に合わせてカスタマイズされた項目をレポートサーバに転送することは容易でなかった。
【０００５】
本発明の目的は、ユーザ運用に合わせてカスタマイズされた項目をDICOM規格に準拠させてレポートサーバへ転送することができる医用画像診断装置を提供することである。
【課題を解決するための手段】
【０００６】
本発明の医用画像診断装置は、医用画像診断装置に取得された被検体の診断情報に関する項目を、ユーザカスタマイズ項目として設定するユーザカスタマイズ項目設定部と、DICOM規格に準拠した付加情報を、前記ユーザカスタマイズ項目に割り当てる付加情報割当部とを備える。
【０００７】
この構成によれば、ユーザ運用に合わせてカスタマイズされた項目をDICOM規格に準拠させてレポートサーバへ転送することができる。
【発明の効果】
【０００８】
本発明は、ユーザ運用に合わせてカスタマイズされた項目をDICOM規格に準拠させてレポートサーバへ転送することができる医用画像診断装置を提供する。
【図面の簡単な説明】
【０００９】
【図１】本実施の形態の超音波診断装置の一例を示した図である。
【図２】DICOMコード自動割り当てのチェックボックスをONにしたときの本実施の形態の超音波診断装置の動作を示したフローチャートである。
【図３】図２のフローチャートにおけるユーザカスタマイズ項目の設定画面の一例を示した図である。
【図４】ユーザカスタマイズ項目が新規の項目としてデータベースに追加されることを示した図である。
【図５】DICOMコード自動割り当てのチェックボックスをＯＦＦにしたときの本実施の形態の超音波診断装置の動作を示したフローチャートである。
【図６】図５のフローチャートにおけるユーザカスタマイズ項目の設定画面の一例を示した図である。
【図７】SRの項目を設定するSR詳細設定画面の一例を示した図である。
【図８】SR詳細設定画面で設定された項目が反映された設定画面を示した図である。
【図９】DICOMコードを検索するときの本実施の形態の超音波診断装置の動作を示したフローチャートである。
【図１０】図９のフローチャートにおけるユーザカスタマイズ項目の設定画面の一例を示した図である。
【図１１】検索時のSR詳細設定画面の一例を示した図である。
【図１２】検索後のSRの項目が設定されたSR詳細設定画面の一例を示した図である。
【図１３】SR詳細設定画面で検索された項目が反映された設定画面を示した図である。
【発明を実施するための形態】
【００１０】
以下、本発明の実施の形態の医用画像診断装置について、図面を用いて説明する。医用画像診断装置には、X線画像、CT、MRI、超音波画像（US）、及び血管造影（血管撮影）などに基づいて被検体の診断情報を取得する医用画像診断装置があるが、本実施の形態では超音波画像に基づいて診断する超音波診断装置の例を説明する。図１は、本実施の形態の超音波診断装置の一例を示した図である。図１に示すように、超音波診断装置１００は、画像取得部１、データ保存部２、表示部３、データ送受信部５、ネットワーク接続部６、操作部７、及び制御部８を備える。
【００１１】
画像取得部１は、被検体（生体など）に対して種々の信号を送信し、被検体内の臓器・組織構成を画像として取得し、取得した画像をデータ保存部２に保存する。表示部３は、データ保存部２に保存された画像やワークリストなどの情報を、操作部７によって入出力し、操作者が情報を保存及び閲覧できるようにする。データ送受信部５は、ネットワーク接続部６を介してDICOMサーバ１０１と種々のデータを送受信し、データ保存部２に保存されたワークリスト情報、画像、及びレポート情報などをワークリストサーバ１０２、ストレージサーバ１０３、及びレポートサーバ１０４に転送する。
【００１２】
操作部7は、操作者の操作により被検体情報を入力する。操作部７は、超音波診断装置１００とDICOMサーバ１０１とのデータ送受信に関する命令を入力する。操作部７は、キーボードやタッチパネル画面で構成される。制御部８は、操作部７からの命令を受け取る。制御部８は、データ保存部２、表示部３、及びデータ送受信部５のデータ出入力の制御や、データ比較などの演算を行う。
【００１３】
制御部８は、ユーザカスタマイズ項目設定部８１、付加情報割当部８２、検索部８３、及びSRリスト生成部８４を備える。ユーザカスタマイズ項目設定部８１は、ユーザの運用に合わせてカスタマイズされた項目（ユーザカスタマイズ項目）を設定する。付加情報割当部８２は、DICOM規格に準拠した付加情報を割り当てる。付加情報割当部８２は、DICOM規格に準拠したSR（ストラクチャーレポート）に対応するDICOMコードをユーザカスタマイズ項目に割り当てる（関連付ける）。検索部８３は、ユーザカスタマイズ項目又はDICOMコード（付加情報）をデータ保存部２から検索する。SRリスト生成部８４は、ユーザカスタマイズ項目に関連付けられたDICOMコードのリスト（SRリスト）を生成し、レポートサーバにSRリストを出力する。
【００１４】
本実施の形態は、超音波診断装置１００（医用画像診断装置）に取得された被検体の診断情報に関する項目を、ユーザカスタマイズ項目として設定するユーザカスタマイズ項目設定部８１と、DICOM規格に準拠した付加情報を、ユーザカスタマイズ項目に割り当てる付加情報割当部８２とを備える。
【００１５】
図２は、本実施の形態の超音波診断装置の動作を示したフローチャートである。
【００１６】
超音波診断装置１００の詳細な構成を説明しながら、超音波診断装置１００が、ユーザの運用に合わせてカスタマイズされた項目をDICOM規格に準拠させて、DICOMサーバ１０１に転送可能とする場合について説明する。
【００１７】
図２のステップＳ２１において、操作部７を介して制御部８（ユーザカスタマイズ項目設定部８１）が、ユーザの運用に合わせてカスタマイズされた項目（ユーザカスタマイズ項目）を追加する。ユーザカスタマイズ項目設定部８１は、超音波診断装置１００（医用画像診断装置）の被検体の診断情報に関する項目のうち、診断情報の領域、グループ、計測名、計測項目（計測項目名）、単位、及び計算式の少なくとも１つを、ユーザカスタマイズ項目として設定する。
【００１８】
図３は、ユーザカスタマイズ項目の設定画面を示した図である。図３に示すように、ステップＳ２１において、操作部７を介してユーザカスタマイズ項目設定部８１が、ユーザカスタマイズ項目を設定画面３０に入力する。例えば、図３の“計測設定”３１において、“計測項目（計測項目名）”Ｕ１１、“単位”Ｕ１２、及び“計算式”Ｕ１４などが入力される。“計測項目”Ｕ１１には、追加される計測項目の名称が入力される。“計算式”Ｕ１４には、計算式によって計測項目が算出される場合に、計算式が入力される。また、必要に応じて、計測に用いるために予め用意された“ツール”Ｕ１３が入力される。“ツール”Ｕ１３には、長さツールや面積ツールなどが入力される。このように、ユーザカスタマイズ項目設定部８１が、ユーザの運用に合わせてカスタマイズされた項目（ユーザカスタマイズ項目）を追加する。
【００１９】
図２のステップＳ２２において、SR設定３２のDICOMコード自動割り当てチェックボックスＴ１１をONにすると、ステップS２３において、付加情報割当部８２が、ステップS２１で追加されたユーザカスタマイズ項目に、DICOM規格に準拠したSRに対応するDICOMコードを自動的に割り当てる。付加情報割当部８２は、DICOM規格に準拠した付加情報のうち、診断情報の領域、グループ、計測名、計測項目、単位、及び計算式の少なくとも１つを、第1の付加情報としてユーザカスタマイズ項目に割り当てる。例えば、図３のDICOMコード自動割り当てチェックボックスＴ１１をONにすると、“CodeMeaning”Ｔ１７には計測項目“PLI（前負荷指数）”が自動的に割り当てられる。
【００２０】
また、付加情報割当部８２は、DICOM規格に準拠した付加情報のうち、第1の付加情報に関連付けられた付加情報を、第２の付加情報としてユーザカスタマイズ項目に割り当てる。付加情報割当部８２は、第1の付加情報を特定するための特定情報、第1の付加情報を定義した主体を示す主体情報、第1の付加情報が属するテンプレートのID、計測方法の名称、計測値の分類名、画像モードの種類、アプローチの名称、ユーザカスタマイズ項目に対応する値の型、及びコンテンツの型の少なくとも１つを、第２の付加情報としてユーザカスタマイズ項目に割り当てる。例えば、図３の“CodeValue”Ｔ１８と“Designator”Ｔ１９の値が自動的に生成されて割り当てられる。“CodeValue”Ｔ１８は、“CodeMeaning”Ｔ１７を特定する特定情報（符号）であって、ユーザの運用に合わせて特定情報は定義される。“Designator”Ｔ１９は、“CodeMeaning”Ｔ１７を定義した主体を示す主体情報である。登録ボタンＴ２５が押されると、入力された各項目の登録を完了する。すべてのユーザカスタマイズ項目の入力が終了した場合は終了する。すべてのユーザカスタマイズ項目の入力が終了していない場合は、図２のステップＳ２１からステップＳ２３が繰り返される。
【００２１】
また、必要に応じて、付加情報割当部８２が、“TID（テンプレートＩＤ）”V１１、“MeasMethod”V１２、“Derivation”V１３、“ImageMode”V１４、及び“ImageView”V１５を第２の付加情報として自動的に割り当てる。“TID（テンプレートＩＤ）”V１１には、計測項目が属するテンプレートのIDが入力される。図２では、テンプレートのID“５０２５”が入力される。“MeasMethod”V１２には、DICOM規格で規定される計測方法の名称が入力される。“Derivation”V１３には、平均値や最大値などの計測値の分類名が入力される。例えば、図３に示すように、複数回計測を行うことを考慮すれば、“Derivation”V１３には“Mean（平均値）”が入力される。“ImageMode”V１４には、BモードやMモードなどの画像モードの種類が入力される。“ImageView”V１５には、４ｃｈや２ｃｈなどのアプローチの名称が入力される。それぞれの項目においてDICOM規格との整合性が必要な場合や設定の詳細確認が必要な場合は、詳細ボタンが押される（選択される）ことにより、詳細設定画面が表示され、詳細設定画面において、それぞれの項目が設定される。これにより、ユーザの運用に合わせてカスタマイズされた項目（ユーザカスタマイズ項目）にDICOMコードなどが割り当てられる。
【００２２】
付加情報割当部８２は、ユーザの運用に合わせてカスタマイズされた項目に、DICOM規格としての付加情報を付加し、計測結果をレポートサーバ１０４へ転送可能にする。例えば、図４に示すように、診断情報の領域、グループ、及び計測名として、それぞれ、“OB（産科）”、“Fetal Vasc（胎児血管）”、及び“IVC（下大動脈）”が選択される。そして、計測名“IVC”にはDICOM規格で定義されている計測項目として、“VTI（速度時間積分値）”、“S（心室収縮期波速度）”、“D（心室拡張期波速度）”、“A（心房収縮期波速度）”、及び“S/D（SD比）”などがあるが、ユーザカスタマイズ項目（計測項目“PLI”、単位“無し”、及び計算式“A/S”）が新規の項目としてデータベースに追加される。ユーザカスタマイズ項目（計測項目“PLI”）はDICOM規格で定義されていないので、図３のSR（ストラクチャーレポート）設定３２に示すように、付加情報割当部８２が、DICOM規格に準拠したSRに対応するコードを必要に応じて割り当て、DICOM規格としての付加情報を付加する。
【００２３】
データ送受信部５は、ユーザカスタマイズ項目に関連付けられた付加情報を、超音波診断装置１００（医用画像診断装置）の外部のサーバ（レポートサーバ１０４）に転送する。ユーザカスタマイズ項目に付加されたDICOM規格としての付加情報は、DICOM規格に準拠した構造を有しているため、レポートサーバ１０４との連携が可能となる。この場合、制御部８（SRリスト生成部８４）が、レポートサーバ１０４との連携に用いられるSRリスト（ユーザカスタマイズ項目に関連付けられた付加情報のリスト）を生成し、データ送受信部５が、SRリストをサーバ（レポートサーバ１０４）に転送する。これにより、複数の医用画像装置によりユーザカスタマイズ項目が共有され、病診連携におけるユーザカスタマイズ項目の相互利用に用いられる。医用画像診断装置において設定されたDICOMコード付きのユーザカスタマイズ項目を、医用画像診断装置がエクスポートして、レポートサーバ１０４がインポートすることにより、ユーザカスタマイズ項目の相互利用を可能とする。
【００２４】
次に、DICOMコード自動割り当てチェックボックスＴ１１をＯＦＦにする場合について説明する。図５は、本実施の形態の超音波診断装置の動作を示したフローチャートである。
【００２５】
図２と同様、図５のステップＳ２１において、ユーザカスタマイズ項目設定部８１が、ユーザカスタマイズ項目を追加する。図６は、ユーザカスタマイズ項目の設定画面を示した図である。図６に示すように、ステップＳ２１において、ユーザカスタマイズ項目が設定画面３０に入力される。例えば、図６の計測設定３１において、“計測項目”Ｕ１１、“単位”Ｕ１２、及び“計算式”Ｕ１４などが入力される。また、必要に応じて、計測に用いる予め用意された“ツール”Ｕ１３が入力される。これらの操作により、ユーザの運用に合わせてカスタマイズされた項目（ユーザカスタマイズ項目）が追加される。
【００２６】
図５のステップＳ３２において、SR（ストラクチャーレポート）設定３２のDICOMコード自動割り当てチェックボックスＴ１１をＯＦＦにすると、ステップＳ３３において、SRの項目を設定するSR詳細設定画面が表示され、付加情報割当部８２が、SR詳細設定画面に基づいてユーザカスタマイズ項目にDICOMコードを設定する。
【００２７】
図６、図７、及び図８を用いて、ステップＳ３２とステップＳ３３を詳説する。図７は、SRの項目を設定するSR詳細設定画面の一例を示した図である。図８は、SR詳細設定画面で設定された項目が反映された設定画面を示した図である。図６に示すように、DICOMコード自動割り当てチェックボックスＴ１１がＯＦＦにされる。
【００２８】
次に、“CodeMeaning”の詳細ボタンＴ１３が押される（選択される）と、付加情報割当部８２が、図７に示すSR詳細設定画面６０を表示する。SR詳細設定画面６０において、必要に応じて、“Type”V１６、“RelationType”V１７、“CodeMeaning”V１８，Ｔ１４、“CodeValue ”Ｔ１５、及び“Designator”Ｔ１６の値が設定される。“Type”V１６には、図６の計測項目として追加されたユーザカスタマイズ項目（図６では“PLI”）に対応する値の型が入力される。“RelationType”V１７には、コンテンツの型が入力される。“CodeMeaning”V１８，Ｔ１４には、DICOM規格で定義されている項目（例えば、計測項目）又はユーザにより独自に設定された項目（DICOM規格に準拠した項目）が入力される。
【００２９】
検索部８３は、ユーザカスタマイズ項目又はDICOMコード（付加情報）をデータ保存部２から検索してもよい。データ保存部２は、診断情報の領域、グループ、計測名、計測項目、単位、計算式、及びDICOM規格に準拠した付加情報の少なくとも１つを保存する。検索部８３は、検索条件入力Ｔ２０、検索ボタンＴ２１、及び検索結果表示領域Ｔ２２を含む検索領域を利用することにより、ユーザカスタマイズ項目（例えば、計測項目など）又はDICOMコード（付加情報）がDICOM規格の項目又はユーザにより独自に設定された項目（DICOM規格に準拠した項目）として既に存在しているか否かを検索する。ユーザカスタマイズ項目が既に存在している場合は、ユーザカスタマイズ項目に“CodeMeaning”Ｔ１４、“CodeValue”Ｔ１５、及び“Designator”Ｔ１６が関連付けられているので、選択された検索結果に基づいて、“CodeMeaning”Ｔ１４、“CodeValue”Ｔ１５、及び“Designator”Ｔ１６が自動的にSR詳細設定画面６０に反映される。
【００３０】
それぞれの値の設定は、ドロップダウンリストからの選択や直接入力により行われてもよい。登録ボタンＴ２４が押されると、入力された各項目の登録を完了し、SR詳細設定画面６０が閉じられる。SR詳細設定画面６０が閉じられて、図８に示すように、SR詳細設定画面６０で設定された項目が反映された設定画面３０が表示される。設定画面３０において、“CodeMeaning”Ｔ１７、“CodeValue”Ｔ１８、及び“Designator”Ｔ１９に設定された値が反映されている場合は、登録ボタンＴ２５が押されることにより、入力された各項目の登録を完了する。すべてのユーザカスタマイズ項目の入力が終了した場合は一連の動作が終了する。すべてのユーザカスタマイズ項目の入力が終了していない場合は、図５のステップＳ２１からステップＳ２４が繰り返される。
【００３１】
次に、検索部８３がDICOM規格において定義された構造や識別子を検索する場合について説明する。図９は、本実施の形態の超音波診断装置の動作を示したフローチャートである。
【００３２】
図２及び図５と同様、図９のステップＳ２１において、ユーザカスタマイズ項目設定部８１がユーザカスタマイズ項目を追加する（設定する）。図１０は、ユーザカスタマイズ項目の設定画面を示した図である。図１０に示すように、ステップＳ２１において、ユーザカスタマイズ項目が設定画面３０に入力される。例えば、図６の計測設定３１において、“計測項目”Ｕ１１及び“単位”Ｕ１２などが入力される。また、必要に応じて、計測に用いる予め用意された“ツール”Ｕ１３及び“計算式”Ｕ１４が入力される。これらの操作により、ユーザの運用に合わせてカスタマイズされた項目（ユーザカスタマイズ項目）が追加される。
【００３３】
図９のステップＳ３２において、DICOMコード自動割り当てチェックボックスＴ１１をＯＦＦにする。ステップＳ３４において、検索部８３が、追加されたユーザカスタマイズ項目に対するDICOMコードを検索する。ステップＳ３５において、検索結果が表示される。ステップＳ３６において、適切な検索結果が得られたか否かが確認される。適切な検索結果が得られた場合、ステップＳ３７において、操作部７を介して付加情報割当部８２が、検索結果から適切なDICOMコードを選択して、DICOMコードをユーザカスタマイズ項目に割り当てる（関連付ける）。適切な検索結果が得られなかった場合、ステップＳ３４に戻る。
【００３４】
図１０、図１１、図１２、及び図１３を用いて、ステップＳ３２からステップＳ３７までを詳説する。図１１は、検索時のSR詳細設定画面の一例を示した図である。図１２は、検索後のSRの項目が設定されたSR詳細設定画面の一例を示した図である。図１３は、SR詳細設定画面で検索された項目が反映された設定画面を示した図である。
【００３５】
図１０に示すように、DICOMコード自動割り当てチェックボックスＴ１１がＯＦＦにされる（ステップＳ３２）。次に、“CodeMeaning”の詳細ボタンＴ１３が押されると、付加情報割当部８２が、図１１に示すSR詳細設定画面６０を表示する。SR詳細設定画面６０において、操作部７を介して検索部８３が検索条件入力Ｔ２０に検索に必要な文字列を入力する（ステップＳ３４）。例えば、”Aortic”と“Diameter”の２つの文字列が検索条件入力Ｔ２０に入力される。検索ボタンＴ２１が押されると、検索結果が検索結果表示領域Ｔ２２に表示される（ステップＳ３５）。
【００３６】
適切な検索結果が得られた場合、操作部７を介して付加情報割当部８２が、図１２に示す検索結果表示領域Ｔ２２から適切な検索結果を選択する（ステップＳ３６，Ｓ３７）。例えば、検索結果表示領域Ｔ２２から“Aortic Root Diameter”Ｔ２３が選択される。選択された結果は、SR詳細設定画面６０において、“CodeMeaning”Ｔ１４、“CodeValue”Ｔ１５、及び“Designator”Ｔ１６に反映される。登録ボタンＴ２４が押されると、入力された各項目の登録を完了し、SR詳細設定画面６０が閉じられる。SR詳細設定画面６０が閉じられて、図１３に示すように、SR詳細設定画面６０で設定された項目が反映された設定画面３０が表示される。設定画面３０において、“CodeMeaning”Ｔ１７、“CodeValue”Ｔ１８、及び“Designator”Ｔ１９に設定された値が反映されている場合は、登録ボタンＴ２５が押されることにより、入力された各項目の登録を完了する。すべてのユーザカスタマイズ項目の入力が終了した場合は一連の動作が終了する（ステップＳ２４）。すべてのユーザカスタマイズ項目の入力が終了していない場合は、図９のステップＳ２１からステップＳ３７が繰り返される。
【００３７】
図１３の“TID”Ｖ１１は、データ構造を意味するテンプレートIDである。ユーザカスタマイズ項目が追加された際に、付加情報割当部８２が“TID”Ｖ１１に適切な値を自動的に割り当てる。また、“TID”Ｖ１１は、ドロップダウンリストから選択や直接入力されることにより変更されることも可能である。図１３に示す“MeasMethod”Ｖ１２、“Derivation”Ｖ１３、“ImageMode”Ｖ１４、及び“ImageView”Ｖ１５は、レポートに付加することが可能な附属情報である。ユーザカスタマイズ項目が追加される際に、ドロップダウンリストから選択や直接入力されることにより、付加情報割当部８２は、“MeasMethod”Ｖ１２、“Derivation”Ｖ１３、“ImageMode”Ｖ１４、及び“ImageView”Ｖ１５を必要に応じて設定してもよい。
【００３８】
図１２に示す“Type”Ｖ１６、“RelationType”Ｖ１７、及び“ConceptNameCodeSequence”の“CodeMeaning”Ｖ１８は、データ構造の属性を示す値である。ユーザカスタマイズ項目が追加される際に、付加情報割当部８２は、“Type”Ｖ１６、“RelationType”Ｖ１７、及び“CodeMeaning”Ｖ１８に適切な値を自動的に割り当てる。また、“Type”Ｖ１６、“RelationType”Ｖ１７、及び“CodeMeaning”Ｖ１８の値をドロップダウンリストから選択や直接入力により変更することも可能である。
【００３９】
以上、本発明にかかる実施の形態について説明したが、本発明はこれらに限定されるものではなく、請求項に記載された範囲内において変更・変形することが可能である。
【００４０】
例えば、本実施の形態では計測項目の追加について説明をしたが、計測項目をまとめる計測名（図４の計測名）、計測名をまとめる計測グループ（図４のグループ）や、計測グループをまとめる計測領域（図４の領域）についても、ユーザの運用に合わせてカスタマイズされた項目（ユーザカスタマイズ項目）として、DICOM規格としての付加情報が付加され、計測結果をレポートサーバ１０４へ転送可能にすることが可能である。
【００４１】
以上のように、本実施の形態の医用画像診断装置は、ユーザの運用に合わせてカスタマイズされた項目に対して、DICOM規格に準拠した付加情報を付加し、計測結果をレポートサーバへ転送可能とする。また、ユーザの運用に合わせてカスタマイズされた項目に対して、DICOM規格によって定義された構造や識別子を設定可能とする。
【００４２】
これにより、各医療施設の運用に則した計測をカスタマイズしてDICOM規格に準拠できるとともに、レポートサーバと連携することで、計測結果の一元管理が可能となる。
【産業上の利用可能性】
【００４３】
本発明に係る医用画像診断装置は、DICOM規格を用いる医用画像診断装置などとして有用である。
【符号の説明】
【００４４】
１  画像取得部
２  データ保存部
５  データ送受信部
６  ネットワーク接続部
７  操作部
８  制御部
８１  ユーザカスタマイズ項目設定部
８２  付加情報割当部
８３  検索部
８４  SRリスト生成部
１００  超音波診断装置
１０１  DICOMサーバ
１０２  ワークリストサーバ
１０３  ストレージサーバ
１０４  レポートサーバ
【図１】
2014161511.tif 000003
【図２】
2014161511.tif 000004
【図３】
2014161511.tif 000005
【図４】
2014161511.tif 000006
【図５】
2014161511.tif 000007
【図６】
2014161511.tif 000008
【図７】
2014161511.tif 000009
【図８】
2014161511.tif 000010
【図９】
2014161511.tif 000011
【図１０】
2014161511.tif 000012
【図１１】
2014161511.tif 000013
【図１２】
2014161511.tif 000014
【図１３】
2014161511.tif 000015